(57)【要約】      （修正有）【課題】所定位置で係止させるようにしたストレート状注出と、シャワー状注出とを切換え可能とした液注出栓を提供すること。【解決手段】栓本体と、該栓本体に回転自在に装着される回転体とからなる注出切換え可能な液体注出栓であって、栓本体は、軸筒と外周筒、係合筒を立設し、回転体は、中央部にストレート用注出孔、その周囲の円周上に等間隔をおいてシャワー用注出孔を穿孔した頂壁と、該頂壁から垂設され、栓本体の軸筒外周にストレート用連通溝を設け、外周筒の内周に、前記ストレート用連通溝と同一側の位置に広巾のシャワー用連通溝を設け、回転体の内側筒内周の所定位置に、ストレート用連通溝を設け、外側筒の内周に、前記ストレート用連通溝と直交する位置に広巾のシャワー用連通溝を設け、回転体を回転操作することにより、ストレート注出とシャワー注出を切換え可能としたことを特徴とする。 【選択図】  図１
2006123989.tif 000002
【特許請求の範囲】
【請求項１】
内容液を充填した容器の口筒部に取着される栓本体と、該栓本体に回転自在に装着される回転体とからなる注出切換え可能な液体注出栓であって、
栓本体は、軸筒と外周筒、係合筒を立設し、軸筒と外周筒との間に連通孔を穿設した頂壁と、該頂壁の周縁から立設された側周壁とを具備しており、
回転体は、中央部にストレート用注出孔、その周囲の円周上に等間隔をおいてシャワー用注出孔を穿孔した頂壁と、該頂壁から垂設され、栓本体の軸筒外周に係合する内側筒と、栓本体の外周筒内周に係合する外側筒と、栓本体の係合筒に係合する係合筒とを具備しており、
栓本体の軸筒外周にストレート用連通溝を設け、外周筒の内周に、前記ストレート用連通溝と同一側の位置に広巾のシャワー用連通溝を設け、
回転体の内側筒内周の所定位置に、ストレート用連通溝を設け、外側筒の内周に、前記ストレート用連通溝と直交する位置に広巾のシャワー用連通溝を設け、
回転体を回転操作することにより、ストレート注出とシャワー注出を切換え可能としたことを特徴とする液体注出栓。   
【請求項２】
栓本体の頂壁から係合筒の外側に係止板を立設し、回転体の係合筒の外側に頂壁に連設する外周壁を垂設し、外周壁内周面に係止板に係合する係合凹部を設けたことを特徴とする請求項１記載の液体注出栓。
【発明の詳細な説明】
【技術分野】
【０００１】
本発明は、容器に装着される液体注出栓、特に、容器に充填した内容液を注出する際に、用途に応じた適切な注出状態を選択可能とした液体注出栓に関するものである。
【背景技術】
【０００２】
スクイズ容器に、ストレート状とシャワー状とを切換えて注出する注出切換えキャップを装着したスクイズ容器は、従来より知られている（例えば、特許文献１参照）。
【０００３】
上記特許文献１記載の注出切換えキャップは、固定キャップ（１）と固定キャップ（１）に廻動可能に嵌合されたヘッドキャップ（２）とからなり、固定キャップ（１）は、その頂壁（３）に、筒の頂面と周面両側にまたがる「直」用通液溝（７）を凹設するとともに、「直」用通液溝（７）を挟んで、周面に「シャワー」用通液溝（８）（９）を凹設した突出筒（４）、および係合筒（６）を立設しており、ヘッドキャップ（２）は、頂板（１２）の中央部に「直」用通液溝（７）に連設する注出孔（１３）と、その周りに「シャワー」用通液溝（９）に連通する多数の小孔（１４）を穿設し、かつ、頂板（１２）の周縁部には、突出筒（４）外周に嵌合する内周面両側に連通用凹溝（１６）を凹設し、嵌合筒（６）に廻動可能に嵌合される嵌合周壁（１５）が垂設されている。
【特許文献１】実公平５−４２０３８号公報
【発明の開示】
【発明が解決しようとする課題】
【０００４】
しかしながら、上記従来技術では、「直」用通液溝（７）が、突出筒（４）の頂面を横切るように凹設され、「直」用通液溝（７）の上面には、ヘッドキャップ（２）の頂板（１２）にシャワー用の小孔（１４）を穿設することができないので、全周にわたって連続したシャワーを形成することができなかった。
そのため、浴槽等のように対象物が大きな場合にはよいが、狭い範囲に集中させて撒布する場合には、不均一の撒布になった。
【０００５】
また、使用中にヘッドキャップ（２）が妄動しないようにするため、嵌合筒（６）の外周に係合突条を設け、ヘッドキャップ（２）と固定キャップ（１）との係合を密にしており、そのため、ヘッドキャップ（２）の廻動操作を軽くすることができなかった。
【０００６】
本発明は、上記事情を考慮し、一定の狭い範囲でも均一に噴出させることができ、回転体の回転操作を軽快に行うようにするとともに、所定位置で係止させるようにしたストレート状注出と、シャワー状注出とを切換え可能とした液注出栓を提供することを目的とする。
【課題を解決するための手段】
【０００７】
本発明は、上記の課題を解決するため、液体注出栓として、内容液を充填した容器の口筒部に取着される栓本体と、該栓本体に回転自在に装着される回転体とからなる注出切換え可能な液体注出栓であって、栓本体は、軸筒と外周筒、係合筒を立設し、軸筒と外周筒との間に連通孔を穿設した頂壁と、該頂壁の周縁から立設された側周壁とを具備しており、回転体は、中央部にストレート用注出孔、その周囲の円周上に等間隔をおいてシャワー用注出孔を穿孔した頂壁と、該頂壁から垂設され、栓本体の軸筒外周に係合する内側筒と、栓本体の外周筒内周に係合する外側筒と、栓本体の係合筒に係合する係合筒とを具備しており、栓本体の軸筒外周にストレート用連通溝を設け、外周筒の内周に、前記ストレート用連通溝と同一側の位置に広巾のシャワー用連通溝を設け、回転体の内側筒内周の所定位置に、ストレート用連通溝を設け、外側筒の内周に、前記ストレート用連通溝と直交する位置に広巾のシャワー用連通溝を設け、回転体を回転操作することにより、ストレート注出とシャワー注出を切換え可能としたことを特徴とする構成を採用する。
【０００８】
回転体の妄動を阻止するために、栓本体の頂壁から係合筒の外側に係止板を立設し、回転体の係合筒の外側に頂壁に連設する外周壁を垂設し、外周壁内周面に係止板に係合する係合凹部を設けたことを特徴とする構成を採用する。
【発明の効果】
【０００９】
液注出容器の液体注出栓を、容器に取着する栓本体と、栓本体に回転自在に取着される回転体とで形成し、液の注出状態を回転体を回すという簡単な操作でストレート状とシャワー状に切替えることができる。
【００１０】
栓本体に係止板を設け、回転体の外周壁内周に係止板と係合する係合凹部を設けることによって、回転操作を軽快に行うとともに、定位置に係止させることができ、回転体の妄動を阻止することができた。
【発明を実施するための最良の形態】
【００１１】
次に、本発明の液体注出栓について、実施例をあげて説明する。
図１において、Ａは押圧変形可能な容器、Ｂは容器Ａに装着された栓本体、Ｃは栓本体Ｂに回転自在に装着され、液体の注出孔を具えた回転体、Ｄは栓本体Ｂに装着され、回転体Ｃを覆うオーバーキャップである。
【００１２】
図１に示すように、容器Ａは、口筒部１と肩部２、胴部３と底部とからなり、口筒部１の外周には、ねじ４が設けられており、内周上端は拡径部５になっている。
肩部２の上端には、栓本体Ｂのための位置決め部材６が形成されており、胴部３は、円形、または楕円形で、スクイズ可能となっている。
【００１３】
図２〜４に示すように、栓本体Ｂは、頂壁１０と、頂壁１０の周縁から段部１１を介して垂設された側周壁１２と、側周壁１２の中間部外周に突設されたフランジ１３の外周縁より垂設された外周壁１４とを具備している。
【００１４】
段部１１の所定の位置には、回転体Ｃの回転位置を指示する指示部１５が設けられており、側周壁１２の上部外周には、膨出環１６が設けられている。
側周壁１２の内周には、容器Ａの口筒部１のねじ４に螺合するねじ１７が螺設され、側周壁１２と外周壁１４の所定の位置には、リブが架設され、その下端は、肩部２の位置決め部材６に係合する係止部１８となっている。
【００１５】
栓本体Ｂの頂壁１０の下面には、容器Ａ口筒部１の拡径部５内周に嵌挿され、容器使用時に、内容液が栓本体Ｂの側周壁１２から洩れることを防ぐ密封リング１９が垂設されている。
【００１６】
栓本体Ｂの頂壁１０の上面には、下面に垂設された密封リング１９をほぼ上方に延長した位置に、回転体Ｃと係合する係合突条２０を上部外周に設けた係合筒２１が立設され、頂壁１０中央には、軸筒２２が立設され、係合筒２１と軸筒２２との間には、外周筒２３が立設されている。
また、栓本体Ｂの頂壁１０の軸筒２２と外周筒２３との間には、液の流路となる連通孔２４が、円周上に数カ所穿設されている。
【００１７】
栓本体Ｂの頂壁１０の指示部１５に対応する位置には、頂壁１０上面と、係合筒２１の外周下部との間には、係止板２５が連設されている。
【００１８】
栓本体Ｂの軸筒２２の外周面の係止板２５に対応する側の周面には、上端から切欠部２６が設けられてストレート用連通溝２６ａが形成されており、外周筒２３の内周面には、切欠部２６の同一側と、対向する側の二つの周面に、上端から広巾の切欠部２７が設けられ、シャワー用連通溝２７ａが形成されている。  
【００１９】
回転体Ｃは、図２〜４に示すように、頂壁３０と、頂壁３０周縁から垂設された係合筒３１と、頂壁３０周縁上部から突出周縁部３２を介して連設された外周壁３３と、頂壁３０中央部に垂設され、栓本体Ｂの軸筒２２に係合する内側筒３４と、その外側から垂設され、栓本体Ｂの外周筒２３内周に係合する外側筒３５、および該外側筒３５の外側から垂設されて栓本体Ｂの係合筒２１内周に係合する密封リング３６とから形成されている。
【００２０】
頂壁３０には、中央部に、内容液を一本のストレート状に注出するためのストレート用注出孔３７が穿設され、ストレート用注出孔３７の周辺上面には注出筒３８が形成されており、頂壁３０の外側筒３５上面と密封リング３６上面との間に、内容液をシャワー状に注出するため、多数のシャワー用注出孔３９が、円周上に一定間隔をおいて穿設されている。  
【００２１】
係合筒３１の内周は、栓本体Ｂの係合筒２１の外周に回転自在に係合し、内周中間部には、係合筒２１の係合突条２０と係合する係合部４０が設けられている。
回転体Ｃの係合筒３１を栓本体Ｂの係合筒２１に係合したときには、栓本体Ｂの軸筒２２、および外周筒２３の頂面と、回転体Ｃの頂壁３０下面との間には、一定の間隙が設けられ、液流路が形成されるようになっている。
【００２２】
回転体Ｃの内側筒３４の内周面には、栓本体Ｂの軸筒２２の切欠部２６に対向する切欠部４１が設けられてストレート用連通溝４１ａが形成されており、外側筒３５の外周には、切欠部４１と直交する直径線に交差して位置する広巾の切欠部４２が設けられ、シャワー用連通溝４２ａが形成されている。
切欠部４１、４２の上端は、切欠部２６、２７に接続し、下端は、それぞれ内側筒３４、外側筒３５の下端にまで達している。
【００２３】
栓本体Ｂの軸筒２２の切欠部２６と内側筒３４の切欠部４１が重合接続したときには、 連通孔２４とストレート注出孔３７が連通し、栓本体Ｂの外周筒２３の切欠部２７と外側筒３５の広巾の切欠部４２が重合接続した時には、連通孔２４とシャワー注出孔３９が連通するようになっている。
【００２４】
回転体Ｃの外周壁３３の外周面には、切欠部４１に対応する周面と、切欠部４２に対応する二つの周面、および切欠部４１の反対側の周面には、９０°間隔で液の吐出状態を表示する表示部４３が設けられ、それぞれに、ストレート注出を表示する表示４３ａ、シャワー注出を表示する４３ｂ、４３ｄ、および注出止めを表示する表示４３ｃが印刷または彫刻により配設されている。
【００２５】
外周壁３３の内周面のそれぞれの表示部４３ａ，４３ｂ，４３ｃ，４３ｄに対応する位置には、栓本体Ｂに設けられた係止板２５と係合する両側の突起と凹部とからなる係合凹部４４ａ、４４ｂ、４４ｃ、４４ｄが設けられている。
【００２６】
図１、２に示すように、オーバーキャップＤは、頂壁４５と、頂壁４５周縁から垂設された周壁４６とで形成されており、周壁４６の内周下端には、栓本体Ｂの側周壁１２に設けられた膨出環１６に係合する膨出環４７が設けられている。
オーバーキャップＤは、周壁４６の膨出環４７が栓本体Ｂの側周壁１２の膨出環１６の下側に係合し、周壁４６下端が栓本体Ｂのフランジ１３の上面に載置されることにより、栓本体Ｂの上部と、回転体Ｃを被蓋する。
【００２７】
次に、本実施例の容器の使用態様と作用効果について説明する。
容器Ａに内容液の充填後、栓本体Ｂを容器Ａの口筒部１に装着した後に、栓本体Ｂに回転体Ｃを回転自在に装着する。
オーバーキャップＤを栓本体Ｂに被蓋することによって液体注出栓を装着した液体注出容器を得ることができる。
【００２８】
液体注出容器の使用時には、オーバーキャップＤを栓本体Ｂから取外し、開蓋する。
液体注出栓の注出状態を一本のストレート状で使用したい場合は、回転体Ｃを回転させ、図５に示すように、回転体Ｃの外周壁３３の表示４３ａを栓本体Ｂの段部１１に設けた指示部１５に合わせる。
その際、栓本体Ｂの係止板２５に、回転体Ｃの外周壁３３の内周に設けた係合凹部４４ａが係合される。
そして、栓本体Ｂの軸筒２２に設けた切欠部２６と、回転体Ｃの内側筒３４の内周に設けた切欠部４１とが重合し、ストレート用連通溝２６ａ、４１ａが接続して液の流路が形成される。
【００２９】
容器全体を傾け、容器Ａの胴部３を押圧することにより、内容液は栓本体Ｂの頂壁１０に設けられた連通孔２４を通り、頂壁１０上面と軸筒２２と外周筒２３との空間に入る。
次に、内容液は、栓本体Ｂの切欠部２６と回転体Ｃの切欠部４１との間に形成されるストレート用連通溝２６ａ、４１ａを通り、回転体Ｃのストレート用注出孔３７よりストレート状に注出される。
【００３０】
液体注出栓の注出状態を数本のシャワー状で使用したい場合は、回転体Ｃを回転させ、図６に示すように、回転体Ｃの外周壁３３の表示４３ｂ、または表示４３ｄを栓本体Ｂの段部１１に設けた指示部１５に合わせる。
その際、栓本体Ｂの係止板２５に、回転体Ｃの外周壁３３の内周に設けた係合凹部４４ｂ、または係合凹部４４ｄが係合される。
そして、栓本体Ｂの外周筒２３に設けた切欠部２７と、回転体Ｃの外側筒３５の外周に設けた切欠部４２とが重合し、シャワー用連通溝２７ａ、４２ａが接続して液の流路が形成される。
【００３１】
容器全体を傾け、容器Ａの胴部３を押圧することにより、内容液は栓本体Ｂの頂壁１０に設けられた連通孔２４を通り、頂壁１０上面と軸筒２２と外周筒２３との空間に入る。
次に、内容液は、栓本体Ｂの切欠部２７と、回転体Ｃの切欠部４２との間に形成されるシャワー用連通溝２７ａ、４２ａを通り、回転体Ｃの数カ所のシャワー用注出孔３９よりシャワー状に注出される。
【００３２】
その際、シャワー用注出孔３９は、円周全体にわたって等間隔に配設されているので、狭い範囲に注出する場合には、内容液は均一な状態に撒布される。
【００３３】
液体注出栓の注出を中止したい場合は、回転体Ｃを回転させ、図７に示すように、回転体Ｃの外周壁３３の表示４３ｃを、栓本体Ｂの段部１１に設けた指示部１５に合わせる。
その際、栓本体Ｂの係止板２５に、回転体Ｃの外周壁３３の内周に設けた係合凹部４４ｃが係合される。
そして、栓本体Ｂの軸筒２２に設けた切欠部２６、外周筒２３に設けた切欠部２７と、回転体Ｃの切欠部４１、切欠部４２とが重合せず、液の流路が形成されない。
したがって、内容液は、容器全体を傾け容器Ａを押圧しても注出しないので、液体注出栓は、閉栓状態となる。
【００３４】
液体注出容器の使用を中止し、保存しておきたい場合は、液体注出栓を上記の閉栓状態にして、オーバーキャップＤを栓本体Ｂに被蓋して、液体注出栓を密封することにより、回転体Ｃの注出筒３８やシャワー用注出孔３９に付いた液が乾燥して固まり、孔を塞いだりすることを防ぐことができ、また、容器Ａ内の内容液が外気に触れないことで雑菌などの侵入を防ぐことができる。
【００３５】
栓本体Ｂに係止板２５、回転体Ｃの外周壁３３内周に係合凹部４４ａ、４４ｂ、４４ｃ、４４ｄを設けたので、液体注出栓の使用時の回転体Ｃを回転させた時に、係合凹部４４ａ、４４ｂ、４４ｃ、４４ｄと係止板２５が係合することにより、クリックモーションが与えられ、利用者に注出状態の確認を確かなものにすることができ、また、内容液の注出時に、回転体Ｃが不用意に回転してしまい、注出中に注出状態を変えてしまうようなことなどを防ぐことができる。
【００３６】
上記実施例では、液体注出栓の注出状態の設定を、回転体Ｃの表示４３ａでストレート状、表示４３ｂまたは表示４３ｄでシャワー状、表示部４３ｃで閉栓状態としたが、回転体Ｃの表示部４３の表示の設定を変え、それに合わせて、回転体Ｃの内側筒３４の内周と、外側筒３５の外周に切欠部を設ければ、注出状態の設定を変更することができる。
本発明の液体注出栓の注出状態の設定は、上記実施例に限定されない。
【００３７】
上記実施例では、回転体Ｃにより、９０°間隔で液体注出栓の注出状態の切替え場所の設定を行ったが、所望する角度、例えば、１２０°間隔で液体注出栓の注出状態の切替え場所を設定し、それに伴い、栓本体Ｂの軸筒２２の切欠部２６に対する外周筒２３の切欠部２７、および回転体Ｃの内側筒３４の内周と、外側筒３５の外周の切欠部の位置を設定することにより、所望する角度に、注出状態の切替え場所を変更することができる。
【００３８】
また、回転体Ｃの内側筒３４の内周と、外側筒３５の外周に同じ角度で切欠部を設ければ、全ての注出孔より、内容液を同時に注出させることができる。
本発明の液体注出栓の注出状態の切替え場所の角度設定や、注出状況は上記実施例に限定されない。
【産業上の利用可能性】
【００３９】
本発明の液体注出容器の液体注出栓は、栓本体と回転体とで構成することにより、回転体を回転させることで、液の注出状態を簡単に切り換え変更して注出することができ、係止板と係止凹部を係合させることにより、注出状態の維持を確実とし、従来のものに比べ、簡単、かつ安全に利用することができる。
したがって、本発明の液体注出栓は、殺虫剤などの人体などにあまり触れてはならない液、薬品、飲食料、その他の液体注出容器の液体注出栓として、広く利用することができる。
【図面の簡単な説明】
【００４０】
【図１】本発明液注出容器の一部断面立面図である。
【図２】液体注出栓の分解断面図である。
【図３】液体注出栓の分解斜視図である。
【図４】液体注出栓の斜視図である。
【図５】液体注出栓のストレート注出時の説明図で、（ａ）は断面立面図、（ｂ）は図（ａ）のＡ−Ａ線における横断面図である。
【図６】シャワー注出時の説明図で、（ａ）は断面立面図、（ｂ）は図（ａ）のＡ−Ａ線における横断面図である。
【図７】注出停止時の説明図で、（ａ）は断面立面図、（ｂ）は図（ａ）のＡ−Ａ線における横断面図である。
【符号の説明】
【００４１】
Ａ      容器
Ｂ      栓本体
Ｃ      回転体
Ｄ      オーバーキャップ
１      口筒部
２      肩部
３      胴部
６      位置決め部材
１０    頂壁
１２    側周壁
１４    外周壁
１５    指示部
１８    係止部
１９    密封リング
２１    係合筒
２２    軸筒
２３    外周筒
２５    係止板
２６、２７、４１、４２  切欠部
２６ａ、４１ａ  ストレート用連通溝
２７ａ、４２ａ  シャワー用連通溝
３０    頂壁
３１    係合筒
３３    外周壁
３４    内側筒
３５    外側筒
３７    ストレート用注出孔
３８    注出筒
３９    シャワー用注出孔
４３    表示部
４４ａ，ｂ，ｃ，ｄ  係合凹部
【図１】
2006123989.tif 000003
【図２】
2006123989.tif 000004
【図３】
2006123989.tif 000005
【図４】
2006123989.tif 000006
【図５】
2006123989.tif 000007
【図６】
2006123989.tif 000008
【図７】
2006123989.tif 000009